(57)【特許請求の範囲】
【請求項１】
エンジンと、変速比を多段状に変速する多段変速制御モードを有し、前記エンジンから出力される駆動力を変換して出力する無段変速機とを備えるパワーユニットの制御装置において、
前記多段変速制御モードにおいて、多段変速が実行される際に、変速開始時のエンジントルクを取得する変速開始時トルク取得手段と、
前記変速開始時のエンジントルク、及び、変速開始時の変速比並びに多段変速の目標変速比に基づいて、トルク増減量初期値を求めるトルク増減量初期値取得手段と、
変速進行度に基づいて、前記トルク増減量初期値を補正する第１補正係数を取得する補正係数取得手段と、
変速に伴い発生するイナーシャトルクをキャンセルするための変速トルク増減要求値を取得するトルク増減要求値取得手段と、
前記第１補正係数によって補正した補正後のトルク増減量初期値と、前記変速トルク増減要求値との加算値に基づいて、前記エンジンの出力トルクを制限するトルク上限値を設定するトルク上限値設定手段と、
前記トルク上限値に応じて前記エンジンの出力トルクを調節するエンジン制御手段と、を備えることを特徴とするパワーユニットの制御装置。
【請求項２】
前記補正係数取得手段は、変速開始後の経過時間に基づいて、前記トルク増減量初期値を補正する第２補正係数を求め、
前記トルク上限値設定手段は、前記第１補正係数及び前記第２補正係数によって補正した補正後のトルク増減量初期値と、前記変速トルク増減要求値との加算値に基づいて、前記トルク上限値を設定することを特徴とする請求項１に記載のパワーユニットの制御装置。
【請求項３】
前記補正係数取得手段は、変速開始後の経過時間が短いほど、前記第２補正係数を大きくすることを特徴とする請求項２に記載のパワーユニットの制御装置。
【請求項４】
前記補正係数取得手段は、エンジントルクをさらに考慮して前記第２補正係数を求めることを特徴とする請求項２又は３に記載のパワーユニットの制御装置。
【請求項５】
前記補正係数取得手段は、前記変速進行度が増すほど、前記第１補正係数を小さくすることを特徴とする請求項１〜４のいずれか１項に記載のパワーユニットの制御装置。
【発明の詳細な説明】
【技術分野】
【０００１】
本発明は、パワーユニットの制御装置に関し、特に、エンジンと無段変速機とを備えるパワーユニットの制御装置に関する。
【背景技術】
【０００２】
近年、複数の運転モード、例えば、エンジンの出力特性（出力モード）や、無段変速機の変速特性・変速モードを運転者の好みに応じて選択（切替）可能とした車両が実用化されている。
【０００３】
このような車両として、例えば、エンジンの出力特性を、３つの出力モード、すなわち、通常走行に適したノーマルモード、出力トルクを抑制して低燃費化を図ったセーブモード（又はエコノミーモード）、低回転域から高回転域までレスポンスに優れる出力特性としたパワー重視のパワーモードから任意に選択できるようにするとともに、各出力モードに対応させて、無段変速機の変速制御モードを、例えばアクセル開度と車速などの車両の運転状態に応じて変速比を無段階に変更する通常の無段変速制御モードと、変速比を有段自動変速機（ＡＴ）風に変更する多段変速制御モードとを選択的に切替え可能とした車両が実用化されている。
【０００４】
ところで、無段変速機を多段変速制御モードで制御する場合には、例えば、アップシフトにより入力軸の回転数が急激に減少されると、回転数変化に伴って無段変速機の入力側プーリに慣性力つまりイナーシャトルクが生じる。このイナーシャトルクは出力軸トルクを一時的に増大させてトルク変動を発生させ、変速ショックを与える要因となる。そこで、エンジンのトルクダウン制御を協調して行うことによって、アップシフト時に生じるイナーシャトルクを吸収する技術が提案されている（例えば、特許文献１参照）。これにより、イナーシャトルクによる出力軸トルクのトルク変動が低減され、変速ショックが抑制される。なお、多段変速制御モードのダウンシフト時には、イナーシャトルクにより出力軸トルクが一時的に減少してトルク変動が生じるため、エンジンのトルクアップ制御を協調して行うことで、変速ショックを抑制している。
【先行技術文献】
【特許文献】
【０００５】
【特許文献１】特開２０１２−２６３６２号公報
【発明の概要】
【発明が解決しようとする課題】
【０００６】
上述したように、特許文献１に記載の技術によれば、変速比遷移に伴うイナーシャトルクをキャンセルすることにより、変速速度の向上（よりスポーティな変速挙動）と変速ショックの低減とを両立することができる。しかしながら、多段変速制御モードであっても、無段変速機では、動力伝達が途切れたり、動力伝達経路が切替ることがない。そのため、変速により発生するイナーシャトルクをキャンセルしたとしても、固定ギヤ段間（変速開始時のギヤ段（変速比）と変速終了時のギヤ段（変速比）との間）の無断変速途中での変速比変化が駆動力変化を生み、変速段遷移時の駆動力の切替りが有段自動変速機と比べて緩慢になりがちであった。よって、例えば、スポーティな走行を嗜好する運転者などから、無段変速機で有段変速機を模擬する際に、より変速時の駆動力切替り感（変速感）が欲しいという要望があった。
【０００７】
本発明は、上記問題点を解消する為になされたものであり、エンジンと、変速比を多段状に変速する多段変速制御モードを有する無段変速機とを備えるパワーユニットの制御装置であって、多段変速制御モードにおいて、無段変速機で有段変速機を模擬する際に、変速ショックを生じることなく、かつ、より明瞭な変速感を運転者に与えることが可能なパワーユニットの制御装置を提供することを目的とする。
【課題を解決するための手段】
【０００８】
本発明に係るパワーユニットの制御装置は、エンジンと、変速比を多段状に変速する多段変速制御モードを有し、エンジンから出力される駆動力を変換して出力する無段変速機とを備えるパワーユニットの制御装置において、多段変速制御モードにおいて、多段変速が実行される際に、変速開始時のエンジントルクを取得する変速開始時トルク取得手段と、変速開始時のエンジントルク、及び、変速開始時の変速比並びに多段変速の目標変速比に基づいて、トルク増減量初期値を求めるトルク増減量初期値取得手段と、変速進行度に基づいて、トルク増減量初期値を補正する第１補正係数を取得する補正係数取得手段と、変速に伴い発生するイナーシャトルクをキャンセルするための変速トルク増減要求値を取得するトルク増減要求値取得手段と、第１補正係数によって補正した補正後のトルク増減量初期値と、変速トルク増減要求値との加算値に基づいて、エンジンの出力トルクを制限するトルク上限値を設定するトルク上限値設定手段と、トルク上限値に応じてエンジンの出力トルクを調節するエンジン制御手段とを備えることを特徴とする。
【０００９】
本発明に係るパワーユニットの制御装置によれば、変速開始時のエンジントルク、及び、変速開始時の変速比（ギヤ段）並びに目標変速比（ギヤ段）に基づいて、トルク増減量初期値が求められる。一方、変速進行度、すなわち変速比変化に応じて第１補正係数が求められる。そして、第１補正係数で補正された補正後のトルク増減量初期値と、変速に伴うイナーシャトルクをキャンセルするための変速トルク増減要求値との加算値に基づいて、エンジントルクのトルク上限値が設定される。そのため、設定されたトルク上限値に応じてエンジントルクを増減（シフトアップ時には減少、シフトダウン時には増加）することで、変速に伴うイナーシャトルクをキャンセルするとともに、変速中に中間変速比を取る際に生じる駆動力をキャンセルすることができる。よって、変速時の駆動力変化の傾きをより立てる（急峻にする）ことができる。その結果、多段変速制御モードにおいて、無段変速機で有段変速機を模擬する際に、変速ショックを生じることなく、かつ、より明瞭な変速感を運転者に与えることが可能となる。
【００１０】
また、本発明に係るパワーユニットの制御装置では、補正係数取得手段が、変速開始後の経過時間に基づいて、トルク増減量初期値を補正する第２補正係数を求め、トルク上限値設定手段が、第１補正係数及び第２補正係数によって補正した補正後のトルク増減量初期値と、変速トルク増減要求値との加算値に基づいて、トルク上限値を設定することが好ましい。
【００１１】
この場合、変速開始後の経過時間に基づいて、第２補正係数が設定されるため、例えば、吸入空気量の応答性、すなわちエンジントルクの応答性を考慮して、トルク増減量初期値を補正することができる。そのため、吸入空気量（エンジントルク）の応答遅れがあるような場合においても、より明瞭な変速感を運転者に与えることができる。
【００１２】
また、その際に、本発明に係るパワーユニットの制御装置では、補正係数取得手段が、変速開始後の経過時間が短いほど、上記第２補正係数を大きくすることが好ましい。
【００１３】
このようにすれば、例えば、変速開始直後は第２補正係数が大きくなり、トルク増減量が大きくなる。そのため、変速開始直後の駆動力変化の傾きをより立てる（急峻にする）ことができ、運転者に対して、より明瞭な変速感（駆動力切替り感）を与えることができる。
【００１４】
また、本発明に係るパワーユニットの制御装置では、補正係数取得手段が、エンジントルクをさらに考慮して上記第２補正係数を求めることが好ましい。
【００１５】
このようにすれば、変速時のエンジントルクを考慮して第２補正係数を設定することができる。そのため、例えば、エンジントルクが大きいほど、第２補正係数を大きくすることにより、運転状態にかかわらず、より明瞭な変速感（駆動力切替り感）を運転者に与えることができる。
【００１６】
本発明に係るパワーユニットの制御装置では、補正係数取得手段が、変速進行度が増すほど、上記第１補正係数を小さくすることが好ましい。
【００１７】
このようにすれば、変速開始時にはトルク増減量を大きくし、その後は、変速が進行するにしたがってトルク増減量を小さくすることができる。よって、より適切に変速時の駆動力切替り感（変速感）を運転者に与えることができる。
【発明の効果】
【００１８】
本発明によれば、多段変速制御モードにおいて、無段変速機で有段変速機を模擬する際に、変速ショックを生じることなく、かつ、より明瞭な変速感を運転者に与えることが可能となる。
【図面の簡単な説明】
【００１９】
【図１】実施形態に係るパワーユニットの制御装置、及び、該制御装置が適用されたパワーユニットの構成を示すブロック図である。
【図２】実施形態に係る無段変速機の変速比設定を示す図である。
【図３】第１補正係数テーブルの一例を示す図である。
【図４】第２補正係数テーブルの一例を示す図である。
【図５】実施形態に係るパワーユニットの制御装置による、多段変速時のトルク上限値設定処理の処理手順を示すフローチャートである。
【図６】３速から４速にシフトアップする際の、変速トルク増減要求値、演出トルク増減要求値、及び合成トルクガード要求値等の変化の一例を示すタイミングチャートである。
【発明を実施するための形態】
【００２０】
以下、図面を参照して本発明の好適な実施形態について詳細に説明する。なお、図中、同一又は相当部分には同一符号を用いることとする。また、各図において、同一要素には同一符号を付して重複する説明を省略する。
【００２１】
まず、図１を用いて、実施形態に係るパワーユニットの制御装置１の構成について説明する。図１は、パワーユニットの制御装置１、及び、該パワーユニットの制御装置１が適用されたパワーユニット（エンジン１０及び無段変速機３０等）の構成を示すブロック図である。
【００２２】
エンジン１０は、どのような形式のものでもよいが、例えば水平対向型の筒内噴射式４気筒ガソリンエンジンである。エンジン１０では、エアクリーナ（図示省略）から吸入された空気が、吸気管に設けられた電子制御式スロットルバルブ（以下、単に「スロットルバルブ」ともいう）１３により絞られ、インテークマニホールドを通り、エンジン１０に形成された各気筒に吸入される。ここで、エアクリーナから吸入された空気の量はエアフローメータにより検出される。さらに、スロットルバルブ１３には、該スロットルバルブ１３の開度を検出するスロットル開度センサ１４が配設されている。各気筒には、燃料を噴射するインジェクタが取り付けられている。また、各気筒には混合気に点火する点火プラグ、及び該点火プラグに高電圧を印加するイグナイタ内蔵型コイルが取り付けられている。エンジン１０の各気筒では、吸入された空気とインジェクタによって噴射された燃料との混合気が点火プラグにより点火されて燃焼する。燃焼後の排気ガスは排気管を通して排出される。
【００２３】
エンジン１０は、出力特性を３つのモード（３段階）に切り替えできるように構成されている。より具体的には、エンジン１０は、アクセルペダルの踏込み量（アクセル開度）に対して出力トルクがほぼリニアに変化するように設定され、通常運転に適したノーマルモード、出力トルクを抑制してイージードライブ性と低燃費性とを両立させたセーブモード（エコノミーモード）、低回転域から高回転域までレスポンスに優れる出力特性としたパワー重視のパワーモードを、例えばセンターコンソール等に配設された運転モード切替スイッチ６１で切替可能に構成されている。
【００２４】
上述したエアフローメータ、スロットル開度センサ１４に加え、エンジン１０のカムシャフト近傍には、エンジン１０の気筒判別を行うためのカム角センサが取り付けられている。また、エンジン１０のクランクシャフト近傍には、クランクシャフトの位置を検出するクランク角センサが取り付けられている。これらのセンサは、後述するエンジン・コントロールユニット（以下「ＥＣＵ」という）６０に接続されている。また、ＥＣＵ６０には、上述した運転モード切替スイッチ６１が接続されている。さらに、ＥＣＵ６０には、アクセルペダルの踏み込み量すなわちアクセルペダルの開度を検出するアクセルペダルセンサ６２、及び、エンジン１０の冷却水の温度を検出する水温センサ等の各種センサも接続されている。
【００２５】
エンジン１０の出力軸１５には、クラッチ機能とトルク増幅機能を持つトルクコンバータ２０を介して、エンジン１０からの駆動力を変換して出力する無段変速機３０が接続されている。
【００２６】
トルクコンバータ２０は、主として、ポンプインペラ２１、タービンライナ２２、及びステータ２３から構成されている。出力軸１５に接続されたポンプインペラ２１がオイルの流れを生み出し、ポンプインペラ２１に対向して配置されたタービンライナ２２がオイルを介してエンジン１０の動力を受けて出力軸を駆動する。両者の間に位置するステータ２３は、タービンライナ２２からの排出流（戻り）を整流し、ポンプインペラ２１に還元することでトルク増幅作用を発生させる。
【００２７】
また、トルクコンバータ２０は、入力と出力とを直結状態にするロックアップクラッチ２４を有している。トルクコンバータ２０は、ロックアップクラッチ２４が締結されていないとき（非ロックアップ状態のとき）はエンジン１０の駆動力をトルク増幅して無段変速機３０に伝達し、ロックアップクラッチ２４が締結されているとき（ロックアップ時）はエンジン１０の駆動力を無段変速機３０に直接伝達する。
【００２８】
無段変速機３０は、リダクションギヤ３１を介してトルクコンバータ２０の出力軸２５と接続されるプライマリ軸３２と、該プライマリ軸３２と平行に配設されたセカンダリ軸３７とを有している。
【００２９】
プライマリ軸３２には、プライマリプーリ３４が設けられている。プライマリプーリ３４は、プライマリ軸３２に接合された固定プーリ３４ａと、該固定プーリ３４ａに対向して、プライマリ軸３２の軸方向に摺動自在に装着された可動プーリ３４ｂとを有し、それぞれのプーリ３４ａ，３４ｂのコーン面間隔、すなわちプーリ溝幅を変更できるように構成されている。一方、セカンダリ軸３７には、セカンダリプーリ３５が設けられている。セカンダリプーリ３５は、セカンダリ軸３７に接合された固定プーリ３５ａと、該固定プーリ３５ａに対向して、セカンダリ軸３７の軸方向に摺動自在に装着された可動プーリ３５ｂとを有し、プーリ溝幅を変更できるように構成されている。
【００３０】
プライマリプーリ３４とセカンダリプーリ３５との間には駆動力を伝達するチェーン３６が掛け渡されている。プライマリプーリ３４及びセカンダリプーリ３５の溝幅を変化させて、各プーリ３４，３５に対するチェーン３６の巻き付け径の比率（プーリ比）を変化させることにより、変速比が無段階に変更される。ここで、チェーン３６のプライマリプーリ３４に対する巻き付け径をＲｐとし、セカンダリプーリ３５に対する巻き付け径をＲｓとすると、変速比ｉは、ｉ＝Ｒｓ／Ｒｐで表される。
【００３１】
ここでプライマリプーリ３４（可動プーリ３４ｂ）には油圧室３４ｃが形成されている。一方、セカンダリプーリ３５（可動プーリ３５ｂ）には油圧室３５ｃが形成されている。プライマリプーリ３４、セカンダリプーリ３５それぞれの溝幅は、プライマリプーリ３４の油圧室３４ｃに導入されるプライマリ油圧と、セカンダリプーリ３５の油圧室３５ｃに導入されるセカンダリ油圧とを調節することにより設定・変更される。
【００３２】
無段変速機３０を変速させるための油圧、すなわち、上述したプライマリ油圧及びセカンダリ油圧は、バルブボディ（コントロールバルブ）５０によってコントロールされる。バルブボディ５０は、スプールバルブと該スプールバルブを動かすソレノイドバルブ（電磁弁）を用いてバルブボディ５０内に形成された油路を開閉することで、オイルポンプから吐出された油圧を調整して、プライマリプーリ３４の油圧室３４ｃ及びセカンダリプーリ３５の油圧室３５ｃに供給する。また、バルブボディ５０は、例えば、車両の前進／後進を切替える前後進切替機構等にも油圧を供給する。
【００３３】
ここで、車両のフロア（センターコンソール）等には、運転者による、自動変速モード（「Ｄ」レンジ）と手動変速モード（「Ｍ」レンジ）とを択一的に切り換える操作を受付けるシフトレバー（セレクトレバー）５１が設けられている。シフトレバー５１には、シフトレバー５１と連動して動くように接続され、該シフトレバー５１の選択位置を検出するレンジスイッチ５９が取り付けられている。レンジスイッチ５９は、ＴＣＵ４０に接続されており、検出されたシフトレバー５１の選択位置が、ＴＣＵ４０に読み込まれる。なお、シフトレバー５１では、「Ｄ」レンジ、「Ｍ」レンジの他、パーキング「Ｐ」レンジ、リバース「Ｒ」レンジ、ニュートラル「Ｎ」レンジを選択的に切り換えることができる。
【００３４】
シフトレバー５１には、該シフトレバー５１がＭレンジ側に位置するとき、すなわち手動変速モードが選択されたときにオンになり、シフトレバー５１がＤレンジ側に位置するとき、すなわち自動変速モードが選択されたときにオフになるＭレンジスイッチ５２が組み込まれている。Ｍレンジスイッチ５２もＴＣＵ４０に接続されている。
【００３５】
一方、ステアリングホイール５３の後側には、手動変速モード時に、運転者による変速操作（変速要求）を受付けるためのプラス（＋）パドルスイッチ５４及びマイナス（−）パドルスイッチ５５が設けられている（以下、プラスパドルスイッチ５４及びマイナスパドルスイッチ５５を総称して「パドルスイッチ５４，５５」ということもある）。プラスパドルスイッチ５４は手動でアップシフトする際に用いられ、マイナスパドルスイッチ５５は手動でダウンシフトする際に用いられる。
【００３６】
プラスパドルスイッチ５４及びマイナスパドルスイッチ５５は、ＴＣＵ４０に接続されており、パドルスイッチ５４，５５から出力されたスイッチ信号はＴＣＵ４０に読み込まれる。なお、ＴＣＵ４０には、プライマリプーリ３４の回転数を検出するプライマリプーリ回転センサ５７や、セカンダリ軸３７の回転数を検出する出力軸回転センサ（車速センサ）５８なども接続されている。
【００３７】
上述したように、無段変速機３０は、シフトレバー５１を操作することにより選択的に切り換えることができる２つの変速モード、すなわち、自動変速モード、手動変速モードを備えている。自動変速モードは、シフトレバー５１をＤレンジに操作することにより選択され、車両の走行状態に応じて変速比を自動的に変更するモードである。手動変速モードは、シフトレバー５１をＭレンジに操作することにより選択され、運転者の変速操作（パドルスイッチ５４，５５の操作）に従って変速比を切り替えるモードである。
【００３８】
より詳細には、無段変速機３０の変速制御モードは、上述したエンジン１０の出力モード（運転モード切替スイッチ６１の操作位置）とシフトレバー５１の操作位置（変速モード）との組み合わせにより決定される。すなわち、上述したセーブモード、ノーマルモードが選択されている状態でＤレンジ（自動変速モード）に操作された場合には通常の無段変速制御が実行され、パワーモードが選択されている状態でＤレンジに操作されたときには、段付加速を行う多段変速制御が実行される。また、セーブモード、ノーマルモードが選択されている状態でＭレンジ（手動変速モード）に操作された場合には６速マニュアル変速制御（多段変速制御）が実行され、パワーモードが選択されている状態でＭレンジに操作されたときには、８速マニュアル変速制御（多段変速制御）が実行される。
【００３９】
無段変速機３０の変速制御は、ＴＣＵ４０によって実行される。すなわち、ＴＣＵ４０は、上述したバルブボディ５０を構成するソレノイドバルブ（電磁弁）の駆動を制御することにより、プライマリプーリ３４の油圧室３４ｃ及びセカンダリプーリ３５の油圧室３５ｃに供給する油圧を調節して、無段変速機３０の変速比を変更する。
【００４０】
ここで、ＴＣＵ４０には、ＣＡＮ（Ｃｏｎｔｒｏｌｌｅｒ  Ａｒｅａ  Ｎｅｔｗｏｒｋ）１００を介して、エンジン１０を総合的に制御するＥＣＵ６０等と相互に通信可能に接続されている。
【００４１】
ＴＣＵ４０、及びＥＣＵ６０は、それぞれ、演算を行うマイクロプロセッサ、該マイクロプロセッサに各処理を実行させるためのプログラム等を記憶するＲＯＭ、演算結果などの各種データを記憶するＲＡＭ、１２Ｖバッテリによってその記憶内容が保持されるバックアップＲＡＭ、及び入出力Ｉ／Ｆ等を有して構成されている。
【００４２】
ＥＣＵ６０では、カム角センサの出力から気筒が判別され、クランク角センサの出力によって検出されたクランクシャフトの回転位置の変化からエンジン回転数が求められる。また、ＥＣＵ６０では、上述した各種センサから入力される検出信号に基づいて、吸入空気量、アクセルペダル開度、混合気の空燃比、及び水温等の各種情報が取得される。そして、ＥＣＵ６０は、取得したこれらの各種情報に基づいて、燃料噴射量や点火時期、並びに各種デバイスを制御することによりエンジン１０を総合的に制御する。
【００４３】
また、ＥＣＵ６０は、運転モード切替スイッチ６１の位置に応じて、例えば、燃料噴射量マップや点火時期マップ等を切り替えることにより、エンジン出力特性（出力モード）を３段階（パワーモード、ノーマルモード、セーブモード）に切り替える。ＥＣＵ６０は、ＣＡＮ１００を介して、エンジン回転数、エンジントルク（吸入空気量）、運転モード切替スイッチ６１の位置（又は出力モード（ノーマルモード／セーフモード／パワーモード））、及びアクセルペダル開度等の情報をＴＣＵ４０に送信する。
【００４４】
一方、ＥＣＵ６０は、ＣＡＮ１００を介して、エンジン１０の出力トルクを制限するトルク上限値（詳細は後述する）をＴＣＵ４０から受信する。ＥＣＵ６０は、ＴＣＵ４０から受信したトルク上限値（他のユニットからのトルク制限要求がある場合には、それらの中で最も小さい制限値）に基づいて、エンジン１０の出力トルク（目標エンジントルク）が該トルク上限値を超えないように、エンジン１０の出力トルクを制御する。ＥＣＵ６０は、トルク上限値に応じて、例えば、スロットルバルブ１３の開度を補正して、エンジン１０の出力トルクを調節する。すなわち、ＥＣＵ６０は、特許請求の範囲に記載のエンジン制御手段として機能する。
【００４５】
ＴＣＵ４０は、セーブモード又はノーマルモードが選択されており、かつ自動変速モードが選択されているときには、無段変速制御用の変速マップに従い、車両の運転状態（例えばアクセルペダル開度及び車速等）に応じて自動で変速比を無段階に変速する無段変速制御モードを実行する。また、ＴＣＵ４０は、パワーモードが選択されており、かつ自動変速モードが選択されているときには、多段変速制御用の変速マップに従い、車両の運転状態に応じて自動的に変速比を多段状に変速する多段変速制御モードを実行する。なお、無段変速制御モード、多段変速制御モードそれぞれに対応する変速マップはＴＣＵ４０内のＲＯＭに格納されている。
【００４６】
ここで、エンジン回転数と車速との関係を示す変速特性線図を図２に示す。図２において、横軸は車速（ｋｍ／ｈ）であり、縦軸はエンジン回転数（ｒｐｍ）である。なお、８本の実線それぞれは、変速比を一定にした場合（各ギヤ段）のエンジン回転数と車速との関係（すなわち、多段変速制御モード時及び手動変速モード時）の変速比特性）を示す。無段変速制御モードでは、図２に示された第１速（ロー）と第８速（オーバードライブ）との間（図２において一点鎖線で画成された領域）の任意の変速比が車両の運転状態に応じて自動的に設定される。なお、ＴＣＵ４０は、手動変速モードが選択されているときには、パドルスイッチ５４，５５により受け付けられた変速操作に基づいて、変速比を制御（多段変速制御）する。
【００４７】
また、ＴＣＵ４０は、パワーモードが選択され、かつ自動変速モードが選択された場合、（すなわち多段変速制御モードが選択された場合）、及び手動変速モードが選択された場合（すなわち無段変速機で有段変速機を模擬する際）に、変速ショックを生じることなく、より明瞭な変速感を運転者に与える機能を有している。そのため、ＴＣＵ４０は、変速開始時トルク取得部４１、トルク増減量初期値取得部４２、補正係数取得部４３、トルク増減要求値取得部４４、及びトルク上限値設定部４５を機能的に有している。ＴＣＵ４０では、ＲＯＭに記憶されているプログラムがマイクロプロセッサによって実行されることにより、変速開始時トルク取得部４１、トルク増減量初期値取得部４２、補正係数取得部４３、トルク増減要求値取得部４４、及びトルク上限値設定部４５の各機能が実現される。
【００４８】
変速開始時トルク取得部４１は、多段変速制御モード（手動変速モードを含む）が選択されている状態において、多段変速（手動変速を含む）が実行される際に、変速が開始されるときのエンジントルクを取得する。すなわち、変速開始時トルク取得部４１は、特許請求の範囲に記載の変速開始時トルク取得手段として機能する。ここで、エンジントルクは、例えば、車速とスロットル開度（吸入空気量）とから求めることができる。また、目標加速度から求められる駆動力ベースのエンジントルクを利用してもよい。なお、ＥＣＵ６０側で変速開始時のエンジントルクを演算し、ＣＡＮ１００を介して取得する構成としてもよい。変速開始時トルク取得部４１により取得された変速開始時のエンジントルクは、トルク増減量初期値取得部４２、及びトルク上限値設定部４５に出力される。
【００４９】
トルク増減量初期値取得部４２は、変速開始時のエンジントルク、及び、変速開始時の変速比（ギヤ段）並びに多段変速の目標変速比（ギヤ段）に基づいて、駆動力切替り感を演出するためのトルク増減量初期値を求める。すなわち、トルク増減量初期値取得部４２は、特許請求の範囲に記載のトルク増減量初期値取得手段として機能する。
【００５０】
より具体的には、トルク増減量初期値取得部４２は、変速開始時のエンジントルクと変速比とから変速開始時の駆動力を求め、変速開始時のエンジントルクと目標変速比（変速終了時の変速比）とから変速終了時の駆動力を求める。そして、トルク増減量初期値取得部４２は、変速開始時の駆動力と変速終了時の駆動力との駆動力差から、トルク増減量初期値を求める。なお、トルク増減量初期値取得部４２により求められたトルク増減量初期値は、トルク増減要求値取得部４４に出力される。
【００５１】
補正係数取得部４３は、変速進行度に基づいて、トルク増減量初期値を補正する第１補正係数を取得する。すなわち、補正係数取得部４３は、特許請求の範囲に記載の補正係数取得手段として機能する。なお、変速進行度は、実変速比が目標変速比に近づいた程度を示すものであり、変速開始時には０％であり、実変速比が目標変速比と略一致したときに１００％となる。
【００５２】
より具体的には、ＴＣＵ４０のＲＯＭ等には、予め、変速進行度（％）と第１補正係数との関係を定めたテーブル（第１補正係数テーブル）が記憶されており、ＴＣＵ４０は、求めた変速進行度に基づいて、第１補正係数テーブルを検索して、第１補正係数を取得する。
【００５３】
ここで、第１補正係数テーブルの一例を図３に示す。図３において、横軸は変速進行度（％）であり、縦軸は第１補正係数である。第１補正係数テーブルでは、図３に示されるように、変速進行度が０％のとき（変速開始時）には第１補正係数が１．０となり、変速進行度が大きくなるほど（変速が進むにしたがって）第１補正係数が小さくなるように設定されている。そして、変速進行度が１００％（変速終了時）では第１補正係数が０となるように設定されている。
【００５４】
また、補正係数取得部４３は、変速が開始されてからの経過時間に基づいて、トルク増減量初期値を補正する第２補正係数を求める。
【００５５】
より具体的には、ＴＣＵ４０のＲＯＭ等には、予め、変速開始後の経過時間（ｓ）と第２補正係数との関係を定めたテーブル（第２補正係数テーブル）が記憶されており、ＴＣＵ４０は、変速開始後の経過時間に基づいて、第２補正係数テーブルを検索して、第２補正係数を取得する。なお、第２補正係数テーブルは変速段毎に備えることが好ましい。
【００５６】
ここで、第２補正係数テーブルの一例を図４に示す。図４において、横軸は変速開始後の経過時間（ｓ）であり、縦軸は第２補正係数である。第２補正係数テーブルでは、図４に示されるように、変速開始後、例えば０．２〜０．３（ｓ）までの間では第２補正係数が２．０となり、その後、経過時間が長くなるほど第２補正係数が略ゼロまで急激に小さくなるように設定されている。なお、図４に示した第２補正係数テーブルに代えて、変速開始後の経過時間（ｓ）とエンジントルクと第２補正係数との関係を定めた第２補正係数マップを用いてもよい。このようにすれば、エンジントルクをさらに考慮して第２補正係数を設定することができる。その際には、エンジントルクが大きくなるほど、第２補正係数が大きくなるように設定することが好ましい。なお、補正係数取得部４３により取得された第１補正係数及び第２補正係数は、トルク上限値設定部４５に出力される。
【００５７】
トルク増減要求値取得部４４は、変速に伴い発生するイナーシャトルクをキャンセルするための変速トルク増減要求値を取得する。すなわち、トルク増減要求値取得部４４は、特許請求の範囲に記載のトルク増減要求値取得手段として機能する。より具体的には、トルク増減要求値取得部４４は、例えば、車速やアクセル開度等の走行状態に基づいて変速時に生じるイナーシャトルクを推定し、このイナーシャトルクを打ち消す変速トルク増減要求値を求める。その際に、車両の走行状態からイナーシャトルクを推定するためのマップデータを変速速度毎に予め記憶しておくことが好ましい。トルク増減要求値取得部４４により取得された変速トルク増減要求値は、トルク上限値設定部４５に出力される。
【００５８】
トルク上限値設定部４５は、第１補正係数並びに第２補正係数によって補正した補正後のトルク増減量初期値と、変速トルク増減要求値との加算値、及び、変速開始時のエンジントルクに基づいて、エンジンの出力トルクを制限するトルク上限値を設定する。すなわち、トルク上限値設定部４５は、特許請求の範囲に記載のトルク上限値設定手段として機能する。
【００５９】
より具体的には、トルク上限値設定部４５は、まず、トルク増減量初期値に第１補正係数と第２補正係数とを乗算して、補正後のトルク増減量初期値（以下「演出トルク増減要求値」ともいう）を求める。次に、トルク上限値設定部４５は、演出トルク増減要求値と変速トルク増減要求値とを加算して合成トルクガード要求値を取得する。そして、トルク上限値設定部４５は、アップシフトの場合には、変速開始時のエンジントルクから合成トルクガード要求値を減算してトルク上限値を求める。一方、ダウンシフトの場合には、変速開始時のエンジントルクに合成トルクガード要求値を加算してトルク上限値を求める。
【００６０】
トルク上限値設定部４５により設定されたトルク上限値は、ＣＡＮ１００を介してＥＣＵ６０に出力される。そして、上述したように、ＥＣＵ６０は、受け取ったトルク上限値に応じて、例えば、スロットルバルブ１３の開度を補正して、エンジン１０の出力トルクを調節する。
【００６１】
次に、図５及び図６を併せて参照しつつ、パワーユニットの制御装置１の動作について説明する。ここで、図５は、パワーユニットの制御装置１による、多段変速時におけるトルク上限値設定処理の処理手順を示すフローチャートである。本処理は、ＴＣＵ４０及びＥＣＵ６０において、所定のタイミングで繰り返して実行される。また、図６は、３速から４速にシフトアップする際の、変速トルク増減要求値、演出トルク増減要求値、及び合成トルクガード要求値等の変化の一例を示すタイミングチャートである。なお、図６の横軸は時刻であり、縦軸は、上段から、ギヤ段、変速進行度、変速トルク増減要求値、演出トルク増減要求値、合成トルクガード要求値、及び車両の前後Ｇ（前後加速度）である。
【００６２】
時刻ｔ１において、例えば、３速から４速へのアップシフト条件が成立して、アップシフトが開始されると、まず、ステップＳ１００では、変速開始時のエンジントルクが取得されて、一時的に記憶される。なお、エンジントルクの求め方については、上述したとおりであるので、ここでは、詳細な説明を省略する。
【００６３】
次に、ステップＳ１０２では、３速（変速開始時の変速比）での駆動力と４速（目標変速比）での駆動力とが求められるとともに、双方の駆動力差から、トルク増減量初期値が求められる。なお、トルク増減量初期値の求め方については、上述したとおりであるので、ここでは詳細な説明を省略する。
【００６４】
続いて、ステップＳ１０４では、実変速比と目標変速比とから求まる変速進行度に基づいて、トルク増減量初期値を補正するための第１補正係数が取得される。なお、第１補正係数の取得方法については、上述したとおりであるので、ここでは詳細な説明を省略する。同様に、ステップＳ１０６では、変速開始後の経過時間に基づいて、トルク増減量初期値を補正するための第２補正係数が取得される。なお、第２補正係数の取得方法についても、上述したとおりであるので、ここでは詳細な説明を省略する。
【００６５】
続くステップＳ１０８では、変速に伴い発生するイナーシャトルクをキャンセルするための変速トルク増減要求値が取得される。なお、変速トルク増減要求値の取得方法については、上述したとおりであるので、ここでは詳細な説明を省略する。
【００６６】
次に、ステップＳ１１０では、ステップＳ１０４において取得された第１補正係数、及びステップＳ１０６において取得された第２補正係数によってトルク増減量初期値が補正され、補正後のトルク増減量初期値（演出トルク増減要求値）が取得される。
【００６７】
続いて、ステップＳ１１２では、ステップＳ１１０で取得された演出トルク増減要求値と、ステップＳ１０８で取得された変速トルク増減要求値とが加算されて合成トルクガード要求値が取得される。
【００６８】
次に、ステップＳ１１４では、変速開始時のエンジントルクから、ステップＳ１１２で取得した合成トルクガード要求値が減算されてトルク上限値が求められる。そして、続くステップＳ１１６において、トルク上限値がＣＡＮ１００を介してＥＣＵ６０に出力され、ＥＣＵ６０によりエンジン１０の出力トルクが調節（低減）される。その結果、図６中の時刻ｔ１〜ｔ２に示されるように、変速時における車両の前後Ｇ（前後加速度）の傾きが、従来（破線の前後Ｇ参照）よりも急峻になる。
【００６９】
なお、ここでは、３速から４速へアップシフトする場合を例にして説明したが、他のギヤ段であっても同様にして制御が実行される。また、ダウンシフトする際には、ステップＳ１１６において、変速開始時のエンジントルクに合成トルクガード要求値が加算されてトルク上限値が設定される。そのため、図６で示した、変速トルク増減要求値、演出トルク増減要求値、合成トルクガード要求値、及び車両前後Ｇそれぞれの変化波形のイメージは正負が逆になる。
【００７０】
以上、詳細に説明したように、本実施形態によれば、変速開始時のエンジントルク、及び、変速開始時の変速比（ギヤ段）並びに目標変速比（ギヤ段）に基づいて、トルク増減量初期値が求められる。一方、変速進行度、すなわち変速比変化に応じて第１補正係数が取得される。同様に、変速開始後の経過時間に基づいて、第２補正係数が取得される。そして、第１補正係数及び第２補正係数によって補正された補正後のトルク増減量初期値（演出トルク増減要求値）と、変速に伴い発生するイナーシャトルクをキャンセルするための変速トルク増減要求値との加算値（合成トルクガード要求値）が、変速開始時のエンジントルクから減算（ダウンシフト時）又は加算（アップシフト時）されて、エンジントルクのトルク上限値が設定される。そのため、設定されたトルク上限値に応じてエンジントルクを増減（ダウンシフト時には減少、アップシフト時には増加）することで、イナーシャトルクをキャンセルするとともに、変速中に中間変速比を取る際に生じる駆動力をキャンセルすることができる。よって、変速時の駆動力変化（車両の前後Ｇ）の傾きをより立てることができる。その結果、多段変速制御モード（手動変速モードを含む）において、無段変速機で有段変速機を模擬する際に、変速ショックを生じることなく、かつ、より明瞭な変速感を運転者に与えることが可能となる。
【００７１】
本実施形態によれば、変速進行度が増すほど、上記第１補正係数が小さくなるように設定されている。そのため、変速開始時にはトルク増減量を大きくし、その後は、変速が進行するにしたがってトルク増減量を小さくすることができる。よって、変速時の駆動力変化の傾きを立てることができ、適切に変速時の駆動力切替り感（変速感）を運転者に与えることができる。
【００７２】
また、本実施形態によれば、変速開始後の経過時間に基づいて、第２補正係数が設定されるため、例えば、吸入空気量の応答性、すなわちエンジンのトルク応答性を考慮して、演出トルク増減要求値を設定することができる。そのため、吸入空気量（エンジントルク）の応答遅れがあるような場合においても、より明瞭な変速感を運転者に与えることができる。
【００７３】
また、その際に、本実施形態によれば、変速開始後の経過時間が短いほど、上記第２補正係数が大きくなるように設定されているため、変速開始直後は第２補正係数が大きくなり、演出トルク増減要求値が大きくなる。そのため、変速開始直後の駆動力変化の傾きをより急峻にすることができ、運転者に対して、より明瞭な変速感を与えることができる。
【００７４】
なお、本実施形態によれば、変速時のエンジントルクを考慮して第２補正係数を設定することができる。その場合には、例えば、エンジントルクが大きいほど、第２補正係数を大きくすることにより、運転状態にかかわらず、より明瞭な変速感を運転者に与えることができる。
【００７５】
以上、本発明の実施の形態について説明したが、本発明は、上記実施形態に限定されるものではなく種々の変形が可能である。例えば、上記実施形態では、本発明をチェーン式の無段変速機（ＣＶＴ）に適用したが、チェーン式の無段変速機に代えて、例えば、ベルト式の無段変速機や、トロイダル式の無段変速機等にも適用することができる。
【００７６】
上記実施形態では、エンジン１０を制御するＥＣＵ６０と、無段変速機３０を制御するＴＣＵ４０とを別々のハードウェアで構成したが、一体のハードウェアで構成してもよい。
【００７７】
また、上記実施形態では、多段変速制御モードが選択された場合、及び手動変速モードが選択された場合に変速感を与えるためのトルク上限値を設定したが、例えば、手動変速モードでのみで実行するようにしてもよい。
【００７８】
また、第１補正係数テーブル及び第２補正係数テーブルの設定は上記実施形態に限られることなく、エンジン１０及び無段変速機３０それぞれの特性や、求められる要件等に応じて任意に設定することができる。さらに、第１補正係数テーブルと第２補正係数テーブルとを結合し、変速進行度と変速開始からの経過時間と補正係数との関係とを定めた３次元マップ（又はエンジントルクをパラメータとしてさらに加えた４次元マップ）としてもよい。
【符号の説明】
【００７９】
１  パワーユニットの制御装置
１０  エンジン
２０  トルクコンバータ
３０  無段変速機
３４  プライマリプーリ
３５  セカンダリプーリ
３６  チェーン
４０  ＴＣＵ
４１  変速開始時トルク取得部
４２  トルク増減量初期値取得部
４３  補正係数取得部
４４  トルク増減要求値取得部
４５  トルク上限値設定部
５１  シフトレバー
５９  レンジスイッチ
６０  ＥＣＵ
６１  運転モード切替スイッチ
６２  アクセルペダルセンサ
１００  ＣＡＮ
【図１】
0006462428.tif 000002
【図２】
0006462428.tif 000003
【図３】
0006462428.tif 000004
【図４】
0006462428.tif 000005
【図５】
0006462428.tif 000006
【図６】
0006462428.tif 000007